(57)【要約】【課題】エアゾール式製品のマウンティングカップに取り付けられて再利用可能な肩カバー構造について、肩カバー分別操作の簡単化・明確化と、マウンティングカップと下肩カバーとの確実な強嵌合化を図る。【解決手段】容器本体１のマウンティングカップ２に嵌合したまま取り外されない環状の下肩カバー５と、この下肩カバー５に着脱可能な再利用対象の上肩カバー６と、下肩カバー５および上肩カバー６の着脱部と、を有する構造とした。下肩カバー５は、上肩カバー６とともに外部空間域へ露出する外側筒状部５ｂを備え、着脱部は、上肩カバー６の上側ロック用凸部６ｅと、下肩カバー５の下側ロック用凸部５ｆとを備える。分別の際にはロック部材７を回動し、その楕円孔部７ａの短内径による上側ロック用凸部６ｅと下側ロック用凸部５ｆとの挟持を解除し、容器本体１および下肩カバー５から噴射ボタン４，上肩カバー６およびロック部材７を分離して、再利用する。【選択図】図１
2019006488.tif 000002
【特許請求の範囲】
【請求項１】
エアゾール式製品のマウンティングカップに取り付けられて装飾作用を呈し、容器本体廃棄の時には容器本体側から取り外されて再利用可能な肩カバー構造において、
前記マウンティングカップに嵌合したままで取り外されない環状の下肩カバーと、
前記下肩カバーに着脱可能な上肩カバーと、
前記下肩カバーおよび前記上肩カバーの着脱部と、を有し、
前記着脱部の作動により前記下肩カバーから取り外された前記上肩カバーが再利用の対象となる、
ことを特徴とするエアゾール式製品の肩カバー構造。
【請求項２】
前記下肩カバーは、
前記上肩カバーとともに外部空間域へ露出する外周面を備えている、
ことを特徴とする請求項１記載のエアゾール式製品の肩カバー構造。
【請求項３】
前記着脱部は、
前記上肩カバーに形成された第一の係止部と、
前記下肩カバーに形成されて前記第一の係止部と係合可能な第二の係止部と、を備えている、
ことを特徴とする請求項１または２記載のエアゾール式製品の肩カバー構造。
【請求項４】
前記第一の係止部または前記第二の係止部は、
これら係止部同士の係合状態を設定可能なロック部材として作用する、
ことを特徴とする請求項３記載のエアゾール式製品の肩カバー構造。
【請求項５】
前記ロック部材は、
前記上肩カバーまたは前記下肩カバーと一体成形された部材である、
ことを特徴とする請求項４記載のエアゾール式製品の肩カバー構造。
【請求項６】
前記上肩カバーおよび前記下肩カバーのいずれか一方または両方は、
前記着脱部を前記上肩カバーの取外し状態に設定するための平板部材が差込み可能な開口部を備えている、
ことを特徴とする請求項１乃至３のいずれかに記載のエアゾール式製品の肩カバー構造。
【請求項７】
前記着脱部は、
前記上肩カバーに形成された被案内部と、
前記下肩カバーに形成されて前記被案内部をガイドする案内部と、を備え、
前記被案内部および前記案内部のいずれか一方は、
凸状部であり、
前記被案内部および前記案内部の他方は、
前記凸状部との協働作用により、前記上肩カバーと前記下肩カバーとの相対的な上下動操作および回動操作を可能とする凹状部である、
ことを特徴とする請求項１または２記載の肩カバー構造。
【請求項８】
前記凹状部は、
筒状部周面に形成され、
前記上肩カバーが前記下肩カバーに取り付けられていない状態の前記凸状部を、上方より導入する第一の縦溝と、
前記第一の縦溝の下端部から周方向に続く第一の横溝と、
前記第一の横溝の終端から上方向に続く第二の縦溝と、
前記第二の縦溝の上端部から周方向に続く第二の横溝と、からなる、
ことを特徴とする請求項７記載の肩カバー構造。
【請求項９】
請求項１乃至８のいずれかに記載の肩カバー構造を備え、かつ、容器本体に噴射用ガスおよび内容物を収容した、
ことを特徴とするエアゾール式製品。
【発明の詳細な説明】
【技術分野】
【０００１】
本発明は、エアゾール式製品のマウンティングカップ側に確実に取り付けられて装飾作用を呈し、内容物消尽後の容器本体廃棄などの時には容器本体側から簡単に取り外されて再利用可能な肩カバー構造に関する。
【０００２】
特にマウンティングカップに嵌合したままで取り外さない態様の下肩カバーと、再利用対象であって当該下肩カバーに対し着脱可能な上肩カバーとからなる肩カバー構造に関する。
【０００３】
本明細書では、着脱操作部の側を「前」と記し、それとはステム回りの１８０度反対側を「後」と記す。例えば図１，図３，図５，図６および図８の左側が「前」で右側が「後」となる。
【背景技術】
【０００４】
従来、再利用可能な肩カバー構造として、マウンテンカップのアンダーカットにあらかじめ弱嵌合した膨出部からなる内カバーに肩カバーを螺合させて一体化するとき、膨出部をアンダーカットの方に変形させて強嵌合状態にする態様のものが提案されている（特許文献１参照）。
【０００５】
肩カバーおよび内カバーを再利用するときには、まず肩カバーをノズルごと内カバーから取り外して膨出部とアンダーカットとの強嵌合状態から弱嵌合状態にする。その後、内カバーをマウンテンカップから取り外し、容器のみを交換・廃棄する。
【先行技術文献】
【特許文献】
【０００６】
【特許文献１】特開２０１４−１０８８１４号公報
【発明の概要】
【発明が解決しようとする課題】
【０００７】
このように従来の再利用可能な肩カバー構造は、螺合状態の肩カバーおよびこの肩カバーに隠れて露出していない内カバーの２ピース構成からなっている。
【０００８】
この２ピース構成の肩カバーを分離するには、肩カバーと内カバーとの供回りに注意しながら、先ず容器本体側と肩カバーとの相対的な回動操作により肩カバーと内カバーとの螺合状態を解除して内カバーをマウンティングカップとの緩嵌合状態に設定した上で、この内カバーを容器本体側から取り外すことになる。
【０００９】
そのため、利用者にとって肩カバーおよび内カバーの取外し操作が煩雑で直感的ではないという問題点があった。
【００１０】
また、利用者が、内カバーをマウンテンカップへ嵌合させる作業をおこなうので、マウンテンカップを容器に取り付ける際のカシメ工程によって生じやすいマウンテンカップ変形などのバラつきに対応した強嵌合設定が難しいという問題点があった。
【００１１】
そこで本発明では、マウンテンカップに取り付けられる肩カバーを、ともに装飾作用を呈する外部露出面からなる下肩カバーと上肩カバーとで構成し、かつ、下肩カバーをマウンティングカップに固定し、上肩カバーを下肩カバーに着脱自在に設定している
【００１２】
すなわち、利用者は、マウンティングカップに固定された下肩カバーを取り外すなどの作業は捨象して、例えば製品出荷段階で固定されたままの下肩カバーに上肩カバーを着脱する作業をおこなうだけである。
【００１３】
容器本体の内容物消尽後などにエアゾール式製品を廃棄する場合などに、マウンティングカップと一体の下肩カバーから上肩カバーを取り外し、これを例えば新たな下肩カバー（容器本体）に取り付けて再利用するものである。
【００１４】
本発明は、このようなエアゾール式製品の肩カバー構造の採用により、
(11)エアゾール式製品を廃棄するなどに先立っての肩カバー分別操作の簡単化・明確化を図り、
(12)マウンティングカップとこれに固定されたままの下肩カバーとの確実な強嵌合化、例えばカシメ工程によって生じやすいマウンテンカップ変形などのバラつきに対応した強嵌合化を図る、
ことを目的とする。
【課題を解決するための手段】
【００１５】
本発明は、以上の課題を次のようにして解決する。
（１）エアゾール式製品のマウンティングカップ（例えば後述のマウンティングカップ２）に取り付けられて装飾作用を呈し、容器本体廃棄の時には容器本体側（例えば後述の容器本体１）から取り外されて再利用可能な肩カバー構造において、
前記マウンティングカップに嵌合したままで取り外されない環状の下肩カバー（例えば後述の下肩カバー５，１５，２５，３５）と、
前記下肩カバーに着脱可能な上肩カバー（例えば後述の上肩カバー６，１６，２６，３６）と、
前記下肩カバーおよび前記上肩カバーの着脱部と、を有し、
前記着脱部の作動により前記下肩カバーから取り外された前記上肩カバーが再利用の対象となる、
構成態様のものを用いる。
（２）上記（１）において、
前記下肩カバーは、
前記上肩カバーとともに外部空間域へ露出する外周面（例えば後述の外側筒状部５ｂ，１５ｂ，２５ｂ，３５ｂそれぞれの外周面）を備えている、
構成態様のものを用いる。
（３）上記（１），（２）において、
前記着脱部は、
前記上肩カバーに形成された第一の係止部（例えば後述の上側ロック用凸部６ｅ，ロック部材１６ｅ，中間筒状部２６ｂの内側環状凸部）と、
前記下肩カバーに形成されて前記第一の係止部と係合可能な第二の係止部（例えば後述の下側ロック用凸部５ｆ，ロック用凸部１５ｆ，上側筒状部２５ｃの外側環状凸部）と、を備えている、
構成態様のものを用いる。
（４）上記（３）において、
前記第一の係止部または前記第二の係止部は、
これら係止部同士の係合状態を設定可能なロック部材（例えば後述のロック部材１６ｅ）として作用する、
構成態様のものを用いる。
（５）上記（４）において、
前記ロック部材は、
前記上肩カバーまたは前記下肩カバーと一体成形された部材（例えば後述のロック部材１６ｅ）である、
構成態様のものを用いる。
（６）上記（１），（２），（３）において、
前記上肩カバーおよび前記下肩カバーのいずれか一方または両方は、
前記着脱部を前記上肩カバーの取外し状態に設定するための平板部材（例えば後述のコイン８）が差込み可能な開口部（例えば後述の開口部２６ｄ）を備えている、
構成態様のものを用いる。
（７）上記（１），（２）において、
前記着脱部は、
前記上肩カバーに形成された被案内部（例えば後述の案内用凸部３６ｃ）と、
前記下肩カバーに形成されて前記被案内部をガイドする案内部（例えば後述の内側案内用溝部３５ｃ，クランク状案内用孔部３５ｄ）と、を備え、
前記被案内部および前記案内部のいずれか一方は、
凸状部（例えば後述の案内用凸部３６ｃ）であり、
前記被案内部および前記案内部の他方は、
前記凸状部との協働作用により、前記上肩カバーと前記下肩カバーとの相対的な上下動操作および回動操作を可能とする凹状部（例えば後述の内側案内用溝部３５ｃ，クランク状案内用孔部３５ｄ）である、
構成態様のものを用いる。
（８）上記（７）において、
前記凹状部は、
筒状部周面（例えば後述の外側筒状部３５ｂ）に形成され、
前記上肩カバーが前記下肩カバーに取り付けられていない状態の前記凸状部を、上方より導入する第一の縦溝（例えば後述の内側案内用溝部３５ｃ）と、
前記第一の縦溝の下端部から周方向に続く第一の横溝（例えば後述のクランク状案内用孔部３５ｄの始端側）と、
前記第一の横溝の終端から上方向に続く第二の縦溝（例えば後述のクランク状案内用孔部３５ｄのクランク部）と、
前記第二の縦溝の上端部から周方向に続く第二の横溝（例えば後述のクランク状案内用孔部３５ｄの終端側）と、からなる、
ことを特徴とする請求項７記載の肩カバー構造。
構成態様のものを用いる。
【００１６】
このような構成からなる肩カバー構造およびこの肩カバー構造を備えたエアゾール式製品を本発明の対象としている。
【発明の効果】
【００１７】
本発明は、以上の構成をとることにより、
(21)エアゾール式製品を廃棄するなどに先立っての肩カバー分別操作を簡単で明確なものに設定し、
(22)マウンティングカップとこれに固定されたままの下肩カバーとの強嵌合状態を確実なものに設定する、
ことができる。
【図面の簡単な説明】
【００１８】
【図１】上肩カバーが、それとは別体のロック部材を用いて下肩カバーに取り付けられた肩カバー構造の前後方向断面を示す説明図である。
【図２】（ａ）は図１の肩カバー構造の正面視を示し、（ｂ）は図１の肩カバー構造のロック部材を取り外す際の手順を示す説明図である。
【図３】上肩カバーが、それと一体のロック部材を用いて下肩カバーに取り付けられた肩カバー構造の前後方向断面を示す説明図である。
【図４】図３の肩カバー構造の正面視を示す説明図である。
【図５】コイン等により上肩カバーが下肩カバーから取り外される肩カバー構造の前後方向断面を示す説明図である。
【図６】上肩カバーが、それの上下動操作および回動操作により下肩カバーに取り付けられた肩カバー構造の前後方向断面を示す説明図である。
【図７】図６の肩カバー構造の正面視を示す説明図である。
【図８】図６の肩カバー構造の平面視を示す説明図である。
【発明を実施するための形態】
【００１９】
図１乃至図８を用いて本発明を実施するための形態を説明する。
【００２０】
以下のアルファベット付き参照番号の構成要素（例えばアンダーカット２ａ）は原則として、当該参照番号の数字部分の構成要素（例えばマウンティングカップ２）の一部であることを示している。
【００２１】
また、図１〜図８での参照番号はそれぞれアルファベット抜き態様において、
(31)「１〜４」を図１〜図８で共用し、
(32)「５〜７」を図１および図２のみで用い、
(33)「１５，１６」を図３および図４のみで用い、
(34)「８，２５，２６」を図５のみで用い、
(35)「３５，３６」を図６〜図８のみで用いている。
【００２２】
図１〜図８において、
１は内容物および噴射用ガスを収容したエアゾール式製品の周知の容器本体，
２は容器本体１に取り付けられた周知のマウンティングカップ，
２ａはマウンティングカップ２の容器本体１との連結部分外周下側に形成される環状のアンダーカット，
３は上端側部分がマウンティングカップ２の中央開口部から上方に設定されて、内容物噴射操作により周知のバルブ作用を呈するステム，
４はステム３に取り付けられて、容器本体１から外部空間域へと連通する通路域を備えた押下げ形式の噴射ボタン，
４ａはステム３の通路空間域と連通する内容物通路部の下流端に形成された内容物噴射用の孔部，
４ｂは外周面下端側に上面が水平面からなり下面が傾斜面からなる態様で形成され、後述の上肩カバー６，１６，２６，３６の内側筒状部６ａ，１６ａ，２６ａ，３６ａの下端部分に当接して、上肩カバー取付け状態で噴射ボタン４が図示上方に抜けるのを阻止する三角環状凸部，
をそれぞれ示している。
【００２３】
図１および図２のみにおいて、
５はマウンティングカップ２のアンダーカット２ａにきつく嵌合した状態で取り付けられて、肩カバーの下側を構成する下肩カバー，
５ａはマウンティングカップ２の外周面に当接保持され、アンダーカット２ａに係合する内側環状凸部を備えた内側筒状部，
５ｂは内側筒状部５ａの外側に形成された外側筒状部，
５ｃは外側筒状部５ｂの後側に外周面と連続する態様で設けられ、後述の外側筒状部６ｃの外周面の後側に当接する後円弧状起立部，
５ｄは後円弧状起立部５ｃに設けられ、後述の係止用凸部６ｄが係合する係止用孔部，
５ｅは後述の中間筒状部６ｂの外周面の前側に当接し、後述の上肩カバー６の前方移動を規制して、後述の係止用凸部６ｄが係止用孔部５ｄから外れることを阻止する前円弧状起立部，
５ｆは外側筒状部５ｂの前側に上端面と連続する態様で設けられ、先端に下向き凸部を有するＬ字状の下側ロック用凸部，
６は下肩カバー５に着脱可能に取り付けられ、肩カバーの上側を構成する上肩カバー，
６ａはその内側に噴射ボタン４を保持する内側筒状部，
６ｂは内側筒状部６ａの外側に形成された中間筒状部，
６ｃは中間筒状部６ｂの外側に形成された外側筒状部，
６ｄは外側筒状部６ｃの後側に形成された係止用凸部，
６ｅは外側筒状部６ｃの前側に、下端面と連続する態様で設けられ、先端に上向き凸部を有するＬ字状の上側ロック用凸部，
７は下側ロック用凸部５ｆと上側ロック用凸部６ｅとを挟持する回動操作式のロック部材，
７ａは長径方向の内径において下側ロック用凸部５ｆの下向き凸部と上側ロック用凸部６ｅの上向き凸部の通過を許容し、短径方向の内径において下側ロック用凸部５ｆと上側ロック用凸部６ｅとを当接状態で挟持する楕円孔部，
をそれぞれ示している。
【００２４】
図３および図４のみにおいて、
１５はマウンティングカップ２のアンダーカット２ａにきつく嵌合した状態で取り付けられて、肩カバーの下側を構成する下肩カバー，
１５ａはマウンティングカップ２の外周面に当接保持され、アンダーカット２ａに係合する内側環状凸部を備えた内側筒状部，
１５ｂは内側筒状部１５ａの外側に形成された外側筒状部，
１５ｃは外側筒状部１５ｂの後側に外周面と連続する態様で設けられ、後述の外側筒状部１６ｃの外周面の後側に当接する後円弧状起立部，
１５ｄは後円弧状起立部１５ｃに設けられ、後述の係止用凸部１６ｄが係合する係止用孔部，
１５ｅは後述の中間筒状部１６ｂの外周面の前側に当接し、後述の上肩カバー１６の前方移動を規制して、後述の係止用凸部１６ｄが係止用孔部１５ｄから外れることを阻止する前円弧状起立部，
１５ｆは外側筒状部１５ｂの前側に設けられ、先端に下向き凸部を有するロック用凸部，
１６は下肩カバー１５に着脱可能に取り付けられ、肩カバーの上側を構成する上肩カバー，
１６ａはその内側に噴射ボタン４を保持する内側筒状部，
１６ｂは内側筒状部１６ａの外側に形成された中間筒状部，
１６ｃは中間筒状部１６ｂの外側に形成された外側筒状部，
１６ｄは外側筒状部１６ｃの後側に形成された係止用凸部，
１６ｅは外側筒状部１６ｃの前側に回動可能な状態で連続成形された回動操作式のロック部材，
１６ｆは外側筒状部１６ｃとロック部材１６ｅとの境界部分であり、このロック部材１６ｅの回動中心として作用する薄肉部，
１６ｇはロック部材１６ｅに設けられ、ロック用凸部１５ｆに係合するロック用孔部，
をそれぞれ示している。
【００２５】
図５のみにおいて、
８は、後述の下肩カバー２５と後述の上肩カバー２６とを分離する際に、後述の開口部２６ｄに挿入される平板部材としてのコイン，
２５はマウンティングカップ２のアンダーカット２ａにきつく嵌合した状態で取り付けられて、肩カバーの下側を構成する下肩カバー，
２５ａはマウンティングカップ２の外周面に当接保持され、アンダーカット２ａに係合する内側環状凸部を備えた内側筒状部，
２５ｂは内側筒状部２５ａの外側に形成された外側筒状部，
２５ｃは下肩カバー２５の上側に形成され、上端に後述の上肩カバー２６と係合する外側環状凸部を備えた上側筒状部，
２６は下肩カバー２５に着脱可能に取り付けられ、肩カバーの上側を構成する上肩カバー，
２６ａはその内側に噴射ボタン４を保持する内側筒状部，
２６ｂは内側筒状部６ａの外側に形成され、下端に上側筒状部２５ｃの外側環状凸部と係合する内側環状凸部を備えた中間筒状部，
２６ｃは中間筒状部６ｂの外側に形成された外側筒状部，
２６ｄは外側筒状部２６ｃの下端部に切り込み態様で設けられた開口部，
をそれぞれ示している。
【００２６】
図６〜図８のみにおいて、
３５はマウンティングカップ２のアンダーカット２ａにきつく嵌合した状態で取り付けられて、肩カバーの下側を構成する下肩カバー，
３５ａはマウンティングカップ２の外周面に当接保持され、アンダーカット２ａに係合する内側環状凸部を備えた内側筒状部，
３５ｂは内側筒状部５ａの外側に形成された外側筒状部，
３５ｃは外側筒状部５ｂの上端から上下方向に設けられた計二個の内側案内用溝部，
３５ｄは外側筒状部５ｂに、内側案内用溝部３５ｃの下端を始端として平面視反時計周方向（第一の横溝）・上方向（第二の縦溝）・平面視反時計周方向（第二の横溝）の順に折れ曲がるクランク態様で設けられた計二個のクランク状案内用孔部，
３５ｅはクランク状案内用孔部３ｄに案内された案内用凸部をクランク状案内用孔部３ｄの終端に保持する計二個の節度用凸部，
３６は下肩カバーに着脱可能に取り付けられ、肩カバーの上側を構成する上肩カバー，
３６ａはその内側に噴射ボタン４を保持する内側筒状部，
３６ｂは内側筒状部３６ａの外側に形成された外側筒状部，
３６ｃは外側筒状部の外周面に設けられた計二個の案内用凸部，
をそれぞれ示している。
【００２７】
ここで、噴射ボタン４，下肩カバー５，１５，２５，３５，上肩カバー６，１６，２６，３６およびロック部材７は例えばポリプロピレン，ポリエチレン，ポリアセタール，ナイロン，ポリブチレンテレフタレートなどからなるプラスチック製のものである。
【００２８】
また、容器本体１およびステム３は例えばプラスチック製，金属製のものである。マウンティングカップ２は例えば金属性のものである。
【００２９】
図１および図２（ａ）は、上肩カバー６が、それとは別体のロック部材７を用いて下肩カバー５に取り付けられた肩カバー構造を示している。
【００３０】
下肩カバー５と上肩カバー６との取り付け状態は、係止用孔部５ｄと係止用凸部６ｄとの係止作用と、下側ロック用凸部５ｆと上側ロック用凸部６ｅとのロック部材７による挟持作用とによって保持されている。
【００３１】
使い終わった容器本体１を破棄するときには、図２（ｂ）に示すように、ロック部材７を左右いずれかに９０度回動してから下側ロック用凸部５ｆおよび上側ロック用凸部６ｅより引き抜いて取り外し、上肩カバー６の前側を持ち上げて中間筒状部６ｂと前円弧状起立部５ｅとの当接状態を解除し、上肩カバー６を前方に移動して係止用孔部５ｄから係止用凸部６ｄを引き抜いて、上肩カバー６を下肩カバー５より取り外す。このとき上肩カバー６に保持されている噴射ボタン４もステム３から一緒に取り外して、容器本体１および下肩カバー５を破棄する。
【００３２】
噴射ボタン４，上肩カバー６およびロック部材７は、新たな下肩カバー５を備えた容器本体１に取り外しとは逆の手順で取り付けられて再利用される。
【００３３】
図３および図４は、上肩カバー１６が、それと一体のロック部材１６ｅを用いて下肩カバー１５に取り付けられた肩カバー構造を示している。
【００３４】
下肩カバー１５と上肩カバー１６との取り付け状態は、係止用孔部１５ｄと係止用凸部１６ｄとの係止作用と、ロック用凸部１５ｆとロック用孔部１６ｇとの係止作用とによって保持されている。
【００３５】
ロック用凸部１５ｆの先端下面の下向き凸部がロック用孔部１６ｇの内側縁部に当接しているのでロック部材１６ｅが不用意に回動することはない。
【００３６】
使い終わった容器本体１を破棄するときには、図３の矢印方向にロック部材１６ｅを強く回動してロック用凸部１５ｆをロック用孔部１６ｇより引き抜き、上肩カバー１６の前側を持ち上げて中間筒状部１６ｂと前円弧状起立部１５ｅとの当接状態を解除し、上肩カバー１６を前方に移動して係止用孔部１５ｄから係止用凸部１６ｄを引き抜いて、上肩カバー１６を下肩カバー１５より取り外す。このとき上肩カバー１６に保持されている噴射ボタン４もステム３から一緒に取り外して、容器本体１および下肩カバー１５を破棄する。
【００３７】
噴射ボタン４および上肩カバー１６は、新たな下肩カバー１５を備えた容器本体１に取り外しとは逆の手順で取り付けられて再利用される。
【００３８】
図５は、下肩カバー２５に強嵌合状態で取り付けられた上肩カバー２６が、コイン８により下肩カバー２５から取り外される肩カバー構造を示している。
【００３９】
下肩カバー２５と上肩カバー２６との取り付け状態は、中間筒状部２６ｂの内側環状凸部と上側筒状部２５ｃの外側環状凸部との強嵌合作用によって保持されている。
【００４０】
使い終わった容器本体１を破棄するときには、コイン８を開口部２６ｄに差し込んで持ち上げるまたはひねるように回動させることで、強嵌合状態の中間筒状部２６ｂの内側環状凸部と上側筒状部２５ｃの外側環状凸部とを強制的に分離して、上肩カバー２６を下肩カバー２５より取り外す。このとき上肩カバー２６に保持されている噴射ボタン４もステム３から一緒に取り外して、容器本体１および下肩カバー２５を破棄する。
【００４１】
噴射ボタン４および上肩カバー２６は、新たな下肩カバー２５を備えた容器本体１に取り外しとは逆の手順で取り付けられて再利用される。
【００４２】
図６〜図８は、上肩カバー３６が、それの上下動操作および回動操作により下肩カバー３５に取り付けられた肩カバー構造を示している。
【００４３】
下肩カバー３５と上肩カバー３６との取り付け状態は、クランク状案内用孔部３５ｄの終端部と案内用凸部３６ｃとの係止作用によって保持されている。
【００４４】
上肩カバー３６の案内用凸部３６ｃは、クランク状案内用孔部３５ｄの終端に節度用凸部３５ｅによって保持されているので、上肩カバー３６が不用意に回動することはない。
また、強い力が加わって上肩カバー３６が回動したとしても、案内用凸部３６ｃがクランク状案内用孔部３５ｄのクランク部分（第二の縦溝）を通過するときに上肩カバー３６を下方に押し込む操作が必要なので、誤って外れてしまうことがない。
【００４５】
使い終わった容器本体１を破棄するときには、上肩カバー３６を平面視時計方向に強く回動してから、図７の矢印のように案内用凸部３６ｃがクランク状案内用孔部３５ｄおよび内側案内用溝部３５ｃを倣うように上肩カバー３６を平面視時計方向・下方向・平面視時計方向・上方向の順に回動および上下動して、上肩カバー３６を下肩カバー３５より取り外す。このとき上肩カバー３６に保持されている噴射ボタン４もステム３から一緒に取り外して、容器本体１および下肩カバー３５を破棄する。
【００４６】
噴射ボタン４および上肩カバー３６は、新たな下肩カバー３５を備えた容器本体１に取り外しとは逆の手順で取り付けられて再利用される。
【００４７】
本発明のエアゾール式製品の肩カバー構造が図示の実施形態に限定されるものでないことは勿論であり、例えば、
(41)図示の上下動タイプの噴射ボタン４に代えて回動などの各種タイプの噴射ボタンを用いる、
(42)肩カバー構造の協働関係にたつ対応構成要素の凹凸関係（例えば係止用孔部５ｄおよび係止用凸部６ｄ）を逆にする、
(43)下肩カバー５，１５，２５，３５をマウンティングカップ２の容器本体１へカシメ部分（上側環状凹部）に内嵌合させる、
(44)薄肉部１６ｆの代わりに回動軸を備えたヒンジ結合によって外側筒状部１６ｃとロック部材１６ｅとを連結する、
(45)開口部２６ｄを上肩カバー２６ではなく下肩カバー２５に設ける、
(46)開口部２６ｄを上肩カバー２６だけではなく下肩カバー２５にも設ける、
(47)クランク状案内用孔部３５ｄを孔部ではなく外側筒状部の内周面に設けた溝状部として設ける、
(48)クランク状案内用孔部３５ｄを内側案内用溝部３５ｃの平面視（図８）時計方向に設ける、
ようにしてもよい。
【００４８】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４９】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００５０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５１】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５２】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５３】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５４】
高分子化合物としては、メチルセルロース，ゼラチン，デンプン，カゼイン，ヒドロキシエチルセルロース，キサンタンガム，カルボキシビニルポリマーなどを用いる。
【００５５】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５６】
さらに、上記内容物以外の、懸濁剤，紫外線吸収剤，乳化剤，保湿剤，酸化防止剤、金属イオン封鎖剤なども用いることができる。
【００５７】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５８】
１：容器本体
２：マウンティングカップ
２ａ：環状のアンダーカット
３：ステム
４：噴射ボタン
４ａ：内容物噴射用の孔部
４ｂ：三角環状凸部
【００５９】
５：下肩カバー
５ａ：内側筒状部
５ｂ：外側筒状部
５ｃ：後円弧状起立部
５ｄ：係止用孔部
５ｅ：前円弧状起立部
５ｆ：Ｌ字状の下側ロック用凸部
６：上肩カバー
６ａ：内側筒状部
６ｂ：中間筒状部
６ｃ：外側筒状部
６ｄ：係止用凸部
６ｅ：Ｌ字状の上側ロック用凸部
７：回動操作式のロック部材
７ａ：楕円孔部
【００６０】
１５：下肩カバー
１５ａ：内側筒状部
１５ｂ：外側筒状部
１５ｃ：後円弧状起立部
１５ｄ：係止用孔部
１５ｅ：前円弧状起立部
１５ｆ：ロック用凸部
１６：上肩カバー
１６ａ：内側筒状部
１６ｂ：中間筒状部
１６ｃ：外側筒状部
１６ｄ：係止用凸部
１６ｅ：回動操作式のロック部材
１６ｆ：薄肉部
１６ｇ：ロック用孔部
【００６１】
８：コイン
２５：下肩カバー
２５ａ：内側筒状部
２５ｂ：外側筒状部
２５ｃ：上側筒状部
２６：上肩カバー
２６ａ：内側筒状部
２６ｂ：中間筒状部
２６ｃ：外側筒状部
２６ｄ：開口部
【００６２】
３５：下肩カバー
３５ａ：内側筒状部
３５ｂ：外側筒状部
３５ｃ：計二個の内側案内用溝部
３５ｄ：計二個のクランク状案内用孔部
３５ｅ：計二個の節度用凸部
３６：上肩カバー
３６ａ：内側筒状部
３６ｂ：外側筒状部
３６ｃ：計二個の案内用凸部
【図１】
2019006488.tif 000003
【図２】
2019006488.tif 000004
【図３】
2019006488.tif 000005
【図４】
2019006488.tif 000006
【図５】
2019006488.tif 000007
【図６】
2019006488.tif 000008
【図７】
2019006488.tif 000009
【図８】
2019006488.tif 000010